(57)【要約】 【課題】自動車運転中にはイヤホンなどの身体装着型の外部スピーカの接続有無に拘らず、装置本体に内蔵されている本体スピーカを音響データの出力先として選択できるようにする。 【解決手段】車載用のクレードル接続部１４からの検出信号に基づいて運転中か否かを判別すると共に、ヘッドセット接続部１３からの検出信号に基づいてハンドセット２０（イヤホン２１）が接続されているか否かを判別し、運転中であれば、イヤホン２１の接続有無に拘らず、テレビ放送、ラジオ放送などの音響データの出力先として本体ステレオスピーカ１２を選択し、運転中ではなく、イヤホン２１が接続されていれば、音響データの出力先としてイヤホン２１を選択する。 【選択図】  図1
2008022389.tif 000002
【特許請求の範囲】
【請求項１】
装置本体に対して着脱自在に接続可能な身体装着型の外部スピーカあるいは装置本体に内蔵されている本体スピーカを出力先として選択して音響データを出力する携帯端末装置であって、
自動車運転中か否かを判別する第１の判別手段と、
前記外部スピーカの接続有無を判別する第２の判別手段と、
前記第１の判別手段によって自動車運転中であることが判別された場合には、前記第２の判別手段による判別結果に拘らず、音響データの出力先として本体スピーカを選択し、前記第１の判別手段によって自動車運転中ではないことが判別され、かつ、前記第２の判別手段によって外部スピーカが接続されていることが判別された場合には、音響データの出力先として当該外部スピーカを選択する音響出力先選択手段と、
を具備したことを特徴とする携帯端末装置。
【請求項２】
前記第１の判別手段は、自動車内の車載用クレードルに装置本体が接続されたか否かに基づいて自動車運転中か否かを判別する、
ようにしたことを特徴とする請求項1記載の携帯端末装置。
【請求項３】
前記外部スピーカから音響データを出力している音響出力中において装置本体が前記車載用クレードルに接続された際に、前記音響出力先選択手段は、音響データの出力先を外部スピーカから本体スピーカに切り替える、
ようにしたことを特徴とする請求項２記載の携帯端末装置。
【請求項４】
本体スピーカから音響データを出力している音響出力中において装置本体が前記車載用クレードルから取り外された際に、前記音響出力先選択手段は、前記外部スピーカが接続されていることを条件に音響データの出力先を本体スピーカから外部スピーカに切り替える、
ようにしたことを特徴とする請求項２記載の携帯端末装置。
【請求項５】
前記第１の判別手段は、自動車エンジンが駆動しているか否かに基づいて自動車運転中か否かを判別する、
ようにしたことを特徴とする請求項1記載の携帯端末装置。
【請求項６】
音響データの出力開始が指示された際に、前記第１の判別手段は、自動車運転中か否かを判別し、前記第２の判別手段は、外部スピーカの接続有無を判別する、
ようにしたことを特徴とする請求項1記載の携帯端末装置。
【請求項７】
音声通話を行う音声通話手段を設け、
音声通話以外の音響データの出力中に通話着信を検出した際に、前記第１の判別手段は、自動車運転中か否かを判別し、前記第２の判別手段は、外部スピーカの接続有無を判別する、
ようにしたことを特徴とする請求項1記載の携帯端末装置。
【請求項８】
音響データの出力中に通話着信を検出した際に、前記第１の判別手段によって自動車運転中であることが判別され、かつ、前記第２の判別手段によって外部スピーカが接続されていることが判別された場合に、前記音響出力先選択手段は、音響データの出力先として本体スピーカを選択すると共に、音声通話手段からの音声データの出力先として外部スピーカを選択する、
ようにしたことを特徴とする請求項７記載の携帯端末装置。
【請求項９】
コンピュータに対して、
自動車運転中か否かを判別する機能と、
装置本体に対して着脱自在に接続可能な身体装着型の外部スピーカの接続有無を判別する機能と、
自動車運転中であることが判別された場合には、前記外部スピーカの接続有無に拘らず、音響データの出力先として本体スピーカを選択し、自動車運転中ではないことが判別され、かつ、前記外部スピーカが接続されていることが判別された場合には、音響データの出力先として当該外部スピーカを選択する機能と、
を実現させるためのプログラム。
【発明の詳細な説明】
【技術分野】
【０００１】
この発明は、装置本体に対して着脱自在に接続可能な身体装着型の外部スピーカあるいは装置本体に内蔵されている本体スピーカを出力先として選択して音響データを出力する携帯端末装置及びプログラムに関する。
【背景技術】
【０００２】
従来、自動車の運転中に携帯電話装置を持たなくても通話が可能なハンズフリー装置としては、イヤホンとマイクを一体化した構成のヘッドセットと呼ばれるハンズフリー装置のほか、自動車のステアリングカバー内に配置されているマイクと自動車ドア内に配置されているスピーカとを使用するようにしたハンズフリー装置（特許文献１参照）が知られている。
この特許文献に示されているハンズフリー装置は、自動車の運転中に電話着信があった際に、携帯電話と車載ユニットとの間で電波の送受信を行い、携帯電話を中継してハンズフリー着信を実行することによって携帯電話をハンズフリー装置に接続しなくても通話を可能としたものである。
【特許文献１】特開２００１−１０３５４７号公報
【発明の開示】
【発明が解決しようとする課題】
【０００３】
ところで、近年、テレビ放送を受信して希望するチャンネルの番組内容を視聴可能なテレビ機能、ラジオ放送を受信出力するラジオ機能を備えたり、音楽ファイル／録音ファイルなどを出力するオーディオ機能を備えた携帯電話装置が普及し始めている。この場合、自動車の運転中に、携帯電話装置に接続したハンズフリー装置（ヘッドセット）を装着してそのイヤホンから音楽などを出力させていると、イヤホンによって耳孔が塞がれるほか、集中力がイヤホンに高まってしまい、例えば、他の自動車からのクラクション、緊急自動車からのサイレンなど、周囲の音が聴こえづらくなり、安全運転上の大きな問題となる。
【０００４】
この発明の課題は、自動車運転中にはイヤホンなどの身体装着型外部スピーカの接続有無に拘らず、装置本体に内蔵されている本体スピーカを音響データの出力先として選択できるようにすることである。
【課題を解決するための手段】
【０００５】
請求項１記載の発明は、装置本体に対して着脱自在に接続可能な身体装着型の外部スピーカあるいは装置本体に内蔵されている本体スピーカを出力先として選択して音響データを出力する携帯端末装置であって、自動車運転中か否かを判別する第１の判別手段と、前記外部スピーカの接続有無を判別する第２の判別手段と、前記第１の判別手段によって自動車運転中であることが判別された場合には、前記第２の判別手段による判別結果に拘らず、音響データの出力先として本体スピーカを選択し、前記第１の判別手段によって自動車運転中ではないことが判別され、かつ、前記第２の判別手段によって外部スピーカが接続されていることが判別された場合には、音響データの出力先として当該外部スピーカを選択する音響出力先選択手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
前記第１の判別手段は、自動車内の車載用クレードルに装置本体が接続されたか否かに基づいて自動車運転中か否かを判別する（請求項２記載の発明）。
【０００７】
この場合、前記外部スピーカから音響データを出力している音響出力中において装置本体が前記車載用クレードルに接続された際に、前記音響出力先選択手段は、音響データの出力先を外部スピーカから本体スピーカに切り替えるようにしてもよい（請求項３記載の発明）。
また、本体スピーカから音響データを出力している音響出力中において装置本体が前記車載用クレードルから取り外された際に、前記音響出力先選択手段は、前記外部スピーカが接続されていることを条件に音響データの出力先を本体スピーカから外部スピーカに切り替えるようにしてもよい（請求項４記載の発明）。
【０００８】
前記第１の判別手段は、自動車エンジンが駆動しているか否かに基づいて自動車運転中か否かを判別する（請求項５記載の発明）。
【０００９】
音響データの出力開始が指示された際に、前記第１の判別手段は、自動車運転中か否かを判別し、前記第２の判別手段は、外部スピーカの接続有無を判別する（請求項６記載の発明）。
【００１０】
音声通話を行う音声通話手段を設け、音声通話以外の音響データの出力中に通話着信を検出した際に、前記第１の判別手段は、自動車運転中か否かを判別し、前記第２の判別手段は、外部スピーカの接続有無を判別する（請求項７記載の発明）。
この場合、音響データの出力中に通話着信を検出した際に、前記第１の判別手段によって自動車運転中であることが判別され、かつ、前記第２の判別手段によって外部スピーカが接続されていることが判別された場合に、前記音響出力先選択手段は、音響データの出力先として本体スピーカを選択すると共に、音声通話手段からの音声データの出力先として当該外部スピーカを選択するようにしてもよい（請求項８記載の発明）。
【発明の効果】
【００１１】
この発明は、自動車運転中にはイヤホンなどの外部スピーカの接続有無に拘らず、装置本体に内蔵されている本体スピーカを音響データの出力先として選択することができ、運転中にイヤホンなどの外部スピーカで音楽などを聴くことを禁止することによって安全運転に寄与することが可能となる。
【発明を実施するための最良の形態】
【００１２】
以下、図１〜図５を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、折り畳み式、スライド式、回転式などのように２つの筐体が開閉可能に取り付けられた構成となっており、音声通話機能、電子メール機能などのほか、テレビ放送電波を受信して出力するテレビ機能と、ラジオ放送を出力して出力するラジオ機能、音楽ファイル／録音ファイルなどを読み出して再生出力するオーディオ機能が備えられている。つまり、この実施例においては音声通話機能以外の音響出力機能として、テレビ機能、ラジオ機能、オーディオ機能が備えられている。
なお、この実施例の特徴部分を詳述する前に、この実施例のハードウェア上の構成について以下、説明しておく。
【００１３】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図２〜図５に示す動作手順に応じて本実施例を実現するためのプログラムが格納されている。記録メディア３は、着脱自在な可搬型メモリで、例えば、各種のデータ、プログラムのほか、音楽ファイル、録音ファイルなどを外部供給したり、記録保存するもので、スマートメディア、ＩＣカードなどによって構成されている。メモリ４は、ワーク領域を有する内部メモリであり、必要に応じてメモリ４内の各種のデータは、記憶部２にセーブされる。
【００１４】
電話通信部５は、無線部を構成するアンテナに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナから発信出力させる。一方、電子メール機能、テレビ機能によって電話通信部５を介して受信取得した表示データは、表示部９に与えられて表示出力される。
【００１５】
テレビ放送受信部１０は、携帯電話などの携帯受信機向けの地上波デジタルテレビ放送を受信するもので、テレビ映像及び音声情報以外にも電子番組表(ＥＰＧ)なども含めて受信可能である。テレビ放送受信部１０は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有し、テレビ音響データは、音響制御部６に与えられる。また、ラジオ放送受信部１１は、専用アンテナを介してラジオ放送（例えば、ＦＭ放送）を受信して復調するもので、ラジオ音響データは、音響制御部６に与えられる。
【００１６】
音響制御部６は、デジタル音声データをデジタル／アナログ変換したり、ユーザ操作に応じて電子ボリュームを作動させて音量レベルを調整したり、音響データの出力先として、通話用の受話スピーカ７、本体ステレオスピーカ（本体装置に内蔵されている高音圧スピーカ）１２、ハンドセット２０を構成するイヤホン（身体装着型の外部スピーカ）２１の中から何れかのスピーカを選択して音響データを出力させる。すなわち、音響制御部６には音響データとして、電話通信部５からの音声データ、記録メディア３から読み出された音楽ファイル／録音ファイル、テレビ放送受信部１０からのテレビ音響データ、ラジオ放送受信部１１からのラジオ音響データが入力されており、ＣＰＵ１は、後述するヘッドセット接続部１３及びクレードル接続部１４から検出信号に基づいて音響データの出力先を決定して音響制御部６を制御するようにしている。
【００１７】
ヘッドセット接続部１３は、ヘッドセット（ハンズフリーセット）２０が挿入接続されるジャック部を有し、ヘッドセット接続部１３にハンドセット２０をケーブル接続するようにしている。ヘッドセット接続部１３は、ＣＰＵ１からの指示に応答してヘッドセット２０（イヤホン２１）が接続されたか否かを検出してその検出信号をＣＰＵ１に与える。なお、ヘッドセット２０は、イヤホン２１とマイク２２とを一体化したもので、頭部装着用であり、装置本体に対して着脱自在に接続可能となっている。そして、ヘッドセット２０は、ハンズフリー通話用として使用されるほか、通話音声以外の音響（テレビ放送、ラジオ放送、音楽ファイル、録音ファイルなど）をそのイヤホン２１で聴く際にも使用可能であるが、通話音声以外の音響データをイヤホン２１から出力させるときには、運転中でないことが条件となる。
【００１８】
車載用クレードル３０は、自動車内に設置されているスタンドで、自動車の電源部にケーブル接続されていると共に、起動キー操作に応じてエンジンを駆動させる電気系統にケーブル接続されている。この車載用クレードル３０には、装置本体が載置（接続）された際に装置本体側の二次電池（図示せず）に充電電流を供給する充電機能のほか、エンジンの駆動状態（運転中か否か）を監視する運転監視機能が設けられている。クレードル接続部１４は、車載用クレードル３０に装置本体が載置（接続）されているかを検出して、その検出信号（クレードル接続信号）をＣＰＵ１に与えるほか、クレードル３０の運転監視機能によって検出された検出信号（エンジン駆動信号）を取得してＣＰＵ１に与える。
【００１９】
キー操作部１５は、押しボタン式の各種のキーを備え、ダイヤル入力、文字入力、コマンド入力などを行うもので、キー操作部１５には、テレビ放送あるいはラジオ放送の受信出力をＯＮ／ＯＦＦさせるキーと、テレビ放送の録画（録音を含む）あるいはラジオ放送の録音を指示する録画／録音キー、音楽ファイル／録音ファイルの再生出力を指示する再生キーなどを有し、ＣＰＵ１は、キー操作部１５からのキー入力信号に応じた処理を実行する。
【００２０】
次にこの実施例における携帯電話装置の動作概念を図２〜図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。なお、図２〜図５は、携帯電話装置の全体動作のうち、本実施例の特徴部分の動作概要を示したフローチャートであり、この図２〜図５のフローから抜けた際には、全体動作のフロー（図示省略）に戻る。
【００２１】
図２は、通話音声以外の音響データの出力開始時に実行開始される携帯電話装置の動作を示したフローチャートである。
先ず、ＣＰＵ１は、通話音声以外の音響データの出力開始が指示された際に、つまり、テレビ放送受信開始／ラジオ放送の受信開始／音楽ファイルあるいは録音ファイルなどの再生開始が指示された際に、ヘッドセット接続部１３からの検出信号を取得してハンドセット２０（イヤホン２１）が接続されているか否かを判別する（ステップＡ１）。ここで、イヤホン２１が接続されていなければ、本体ステレオスピーカ１２を音響データの出力先として選択すべきことを音響制御部６に対して指示したのち、音響制御部６を介して本体ステレオスピーカ１２から音響出力させる（ステップＡ２）。
【００２２】
また、装置本体にハンドセット２０（イヤホン２１）が接続されていれば（ステップＡ１でＹＥＳ）、ＣＰＵ１は、クレードル接続部１４からの検出信号（クレードル接続信号）を取得して装置本体が車載用クレードル３０に載置（接続）されているかを判別する（ステップＡ２）。いま、クレードル接続されていなければ（ステップＡ２でＮＯ）、ハンドセット２０（イヤホン２１）を音響データの出力先として選択すべきことを音響制御部６に対して指示したのち、音響制御部６を介してイヤホン２１から音響出力させる（ステップＡ４）。
【００２３】
また、イヤホン２１が接続されている状態において（ステップＡ１でＹＥＳ）、装置本体が車載用クレードル３０に載置（接続）された際に（ステップＡ２でＹＥＳ）、ＣＰＵ１は、クレードル接続部１４からの検出信号（エンジン駆動信号）に基づいてエンジンが駆動中か（運転中か）否かを判別し（ステップＡ３）、自動車内であってもエンジンが非駆動状態で運転していないときには（ステップＡ３でＮＯ）、イヤホン２１から音響出力させるが（ステップＡ４）、エンジンが駆動中（運転中）であれば（ステップＡ３でＹＥＳ）、イヤホン２１が接続されていても、本体ステレオスピーカ１２から音響出力させる（ステップＡ２）。
【００２４】
図３は、携帯電話装置を車載用クレードル３０に取り付けた際に実行開始される携帯電話装置側の動作を示したフローチャートである。
先ず、ＣＰＵ１は、携帯電話装置を車載用クレードル３０に取り付けることによってクレードル接続部１４からの検出信号（クレードル接続信号）が“ＯＦＦ”から“ＯＮ”、つまり、非接続から接続状態に変わると、通話音声以外の音響出力中であるかを判別する（ステップＢ１）。いま、テレビ放送出力中／ラジオ放送出力中／再生出力中でなければ、このフローから抜けるが、何れかの音響出力中であれば、ヘッドセット接続部１３からの検出信号を取得してハンドセット２０（イヤホン２１）が接続されているか否かを判別する（ステップＢ２）。
【００２５】
ここで、イヤホン２１が接続されていなければ（ステップＢ２でＮＯ）、つまり、本体ステレオスピーカ１２で音楽などを聴いている状態において、車載用クレードル３０に接続させた際には、引き続いて音響データを本体ステレオスピーカ１２から継続出力させる（ステップＢ４）。また、イヤホン２１で音楽などを聴いている状態において、車載用クレードル３０に接続させた際には（ステップＢ３でＹＥＳ）、この音響データの出力先を本体ステレオスピーカ１２に変更してイヤホン２１から本体ステレオスピーカ１２に切り替え出力させる（ステップＢ３）。
【００２６】
図４は、携帯電話装置を車載用クレードル３０から取り外した際に実行開始される携帯電話装置側の動作を示したフローチャートである。
先ず、ＣＰＵ１は、クレードル接続部１４からの検出信号（クレードル接続信号）が “ＯＮ”から“ＯＦＦ”、つまり、装置本体を車載用クレードル３０から取り外してその接続を解除すると、通話音声以外の音響データを出力中であるかを判別する（ステップＣ１）。いま、音響出力中ではない場合（テレビ放送出力中／ラジオ放送出力中／再生出力中でなければ）、このフローから抜けるが、何れかの音響データの出力中であれば、ヘッドセット接続部１３からの検出信号を取得してハンドセット２０（イヤホン２１）が接続されているか否かを判別する（ステップＣ２）。
【００２７】
ここで、イヤホン２１が接続されていなければ（ステップＣ２でＮＯ）、つまり、本体ステレオスピーカ１２から音楽データなど出力している場合に、装置本体が車載用クレードル３０から取り外されたときには、引き続いて音響データを本体ステレオスピーカ１２から継続出力させるが（ステップＣ４）、イヤホン２１が接続されていれば（ステップＣ２でＹＥＳ）、この音響データの出力先をイヤホン２１に変更して本体ステレオスピーカ１２からイヤホン２１に切り替え出力させる（ステップＣ３）。
【００２８】
図５は、通話着信時における携帯電話装置の動作を示したフローチャートである。
先ず、ＣＰＵ１は、電話着信を検出すると、本体ステレオスピーカ１２から着信音を発生出力させて着信報知を行ったのち（ステップＤ１）、通話開始のオフフック操作に応答して（ステップＤ２でＹＥＳ）、通話音声以外の音響出力中であるかを判別する（ステップＤ３）。いま、音響出力中ではなければ、クレードル接続部１４からの検出信号（クレードル接続信号）に基づいて車載用クレードル３０に接続されているかを判別する（ステップＤ１６）。ここで、車載用クレードル３０に接続されていない場合（ステップＤ１６でＮＯ）あるいはクレードル３０に接続されていても（自動車内であっても）、エンジンが非駆動状態で運転していない場合には（ステップＤ１７でＮＯ）、通話音声を受話スピーカ７から出力させる（ステップＤ１９）。
【００２９】
また、エンジン駆動中（運転中）であれば（ステップＤ１７でＹＥＳ）、通話音声を本体ステレオスピーカ１２から出力させてハンズフリー通話可能とする（ステップＤ１８）。その後、回線が遮断されるまで通話状態となるが、オンフック操作が行われて通話終了となると（ステップＤ２０でＹＥＳ）、音響出力をその途中で停止したかを調べるが（ステップＤ２１）、この場合、当初から音響出力を行っていないので、オンフック操作に応答して図５のフローから抜ける。
【００３０】
また、電話着信時に音響出力中（テレビ放送出力中／ラジオ放送出力中／再生出力中）であれば（ステップＤ３でＹＥＳ）、ＣＰＵ１は、ヘッドセット接続部１３からの検出信号を取得してイヤホン２１が接続されているかを判別する（ステップＤ４）。いま、イヤホン２１が接続されていなければ、音響データは本体ステレオスピーカ１２から出力されているので、この本体ステレオスピーカ１２からの音響出力を通話終了まで一時停止させる（ステップＤ１５）。
【００３１】
そして、車載用クレードル３０に接続されているかを判別するが（ステップＤ１６）、クレードル３０に接続されていない場合（ステップＤ１６でＮＯ）あるいはクレードル３０に接続されていても運転中でない場合には（ステップＤ１７でＮＯ）、通話音声を受話スピーカ７から出力させるが（ステップＤ１９）エンジン駆動中（運転中）であれば（ステップＤ１７でＹＥＳ）、通話音声を本体ステレオスピーカ１２から出力させてハンズフリー通話を行う（ステップＤ１８）。
【００３２】
その後、回線が遮断されるまで通話状態となるが、オンフック操作が行われて通話終了となると（ステップＤ２０でＹＥＳ）、音響出力をその途中で停止したかを調べるが（ステップＤ２１）、いま、電話着信に応じて本体ステレオスピーカ１２からの音響出力を一時停止させている中断状態にあるので、ＣＰＵ１は、オンフック操作に応答して本体ステレオスピーカ１２からの音響出力を再開させたのち（ステップＤ２２）、図５のフローから抜ける。
【００３３】
他方、電話着信時に音響出力中で（ステップＤ３でＹＥＳ）、イヤホン２１が接続されている場合（ステップＤ４でＹＥＳ）、つまり、イヤホン２１から音楽などを聴いている音響出力中に電話着信を受けた場合には、車載用クレードル３０に接続されているかを判別する（ステップＤ５）。いま、クレードル３０に接続されていない場合（ステップＤ５でＮＯ）あるいはクレードル３０に接続されていても運転中でなければ（ステップＤ６でＮＯ）、イヤホン２１からの音響出力を通話終了まで一時停止させたのち（ステップＤ７）、通話音声をイヤホン２１から出力させる（ステップＤ８）。その後、オンフック操作が行われて通話終了となると（ステップＤ９でＹＥＳ）、イヤホン２１からの音響出力を再開させる（ステップＤ１０）。
【００３４】
また、イヤホン２１から音楽などを聴いている音響出力中に電話着信を受けたとき、車載用クレードル３０に接続されていて運転中であれば（ステップＤ６でＹＥＳ）、音響データの出力先を本体ステレオスピーカ１２に変更してイヤホン２１から本体ステレオスピーカ１２に切り替え出力させたのち（ステップＤ１１）、イヤホン２１から通話音声を出力させる（ステップＤ１２）。その後、オンフック操作が行われて通話終了となると（ステップＤ１３でＹＥＳ）、音響データを本体ステレオスピーカ１２から継続出力させる（ステップＤ１４）。
【００３５】
以上のように、この実施例においてＣＰＵ１は、車載用のクレードル接続部１４からの検出信号に基づいて運転中か否かを判別すると共に、ヘッドセット接続部１３からの検出信号に基づいてハンドセット２０（イヤホン２１）が接続されているか否かを判別し、運転中であれば、イヤホン２１の接続有無に拘らず、テレビ放送、ラジオ放送などの音響データの出力先として本体ステレオスピーカ１２を選択し、運転中ではなく、イヤホン２１が接続されていれば、音響データの出力先としてイヤホン２１を選択するようにしたから、運転中に音楽などをイヤホンを使用して聴くことを禁止することができ、安全運転に寄与することが可能となる。
【００３６】
この場合、ＣＰＵ１は、音響データをイヤホン２１から出力している状態において装置本体が車載用クレードル３０に接続されると、音響出力先をイヤホン２１から本体ステレオスピーカ１２に切り替え、逆に、本体ステレオスピーカ１２音響データを出力している状態において装置本体を車載用クレードル３０から取り外してその接続を解除された際に、イヤホン２１が接続されていれば、音響出力先を本体ステレオスピーカ１２からイヤホン２１に切り替えるようにしたから、クレードル接続／解除に連動して音響出力先を変更することができる。
【００３７】
ＣＰＵ１は、クレードル接続部１４からの検出信号（クレードル接続信号）のほか、車載用クレードル３０によって検出された検出信号（エンジン駆動信号）に基づいて自動車運転中か否かを判別するようにしたから、運転中か否かの確実な判別が可能となる。
また、音声通話以外の音響データの出力中に通話着信を検出した際に、ＣＰＵ１は、運転中であり、イヤホン２１が接続されていれば、音響出力先として本体ステレオスピーカ１２を選択し、通話音声の出力先としてイヤホン２１を選択するようにしたから、安全運転の確保のほか、テレビ放送／ラジオ放送聴きながら通話したり、音楽などをバックグランドミュージック（ＢＧＭ）的に流しながら通話を行うことが可能となる。
【００３８】
なお、上述した実施例においては、車載用クレードル３０に設けられている運転監視機能よって検出された検出信号（エンジン駆動信号）に基づいて運転中か否かを判別するようにしたが、クレードル接続部１４からの検出信号（クレードル接続信号）に基づいて運転中か否かを判別するようにしてもよい。すなわち、自動車エンジンの駆動／非駆動に拘らず、装置本体が車載用クレードル３０に接続されていれば、運転中であると認識してもよい。
【００３９】
また、上述した図２のステップＡ２で“ＮＯ”と判断されるのは、携帯電話装置が自動車内に持ち込まれていない場合のほか、自動車内に持ち込んでも車載用クレードル３０に接続していない場合である。このように携帯電話装置を車載用クレードル３０に接続していない状態で、携帯電話装置のテレビ受信機能を起動させてテレビ放送をイヤホン２１で聴きながら自動車を運転することも考えられるため、イヤホン２１からの音響出力開始時に、それに先立って自動車運転中はイヤホンの使用を禁止する旨の音声メッセージをイヤホン２１から案内出力するようにしてもよい。
【００４０】
また、上述した実施例においては、車載用クレードル３０に接続することによって自動車運転中か否かを判別するようにしたが、車載用クレードル３０に接続しなくても、携帯電話装置側で運転中か否かを検出するようにしてもよい。すなわち、自己の自動車のエンジン音を送話マイク８から予め集音してその特徴解析を行い、その解析結果（特徴データ）を照合用の登録データとして設定しておき、例えば、音声通話以外の音響データの出力中に、所定タイミング毎（例えば、２秒間隔）に送話マイク８から周囲音を集音しながらエンジン音に近似しているかを調べ、エンジン音に近似していれば、その特徴解析を行うと共に、その解析結果（特徴データ）と照合用の登録データとを比較することによってエンジン駆動中（運転中）か否かを判別するようにしてもよい。
【００４１】
その他、車載用クレードル３０に接続されている状態において、所定タイミング毎に周囲をカメラ撮影して画像解析を行い、周囲の変化状態から運転中か否かを判別するようにしてもよい。また、ＧＰＳ(Global Positioning System：全地球測位システム)受信部を備えた携帯電話装置においては、所定タイミング毎に現在位置を受信取得するほか、現在地の地図情報を取得して、位置変化と地図上の経路から運転中か否かを判別するようにしてもよい。
【００４２】
上述した実施例においては、ヘッドセット接続部１３にハンドセット２０をケーブル接続するようにしたが、ハンドセット２０を無線接続するようにしてもよい。この場合、電波の送受信に応じての接続有無を判別すればよい。
また、上述した実施例において「自動車」とは、乗用車、トラックのほか、オートバイ、原動機付き自転車を含む広義の車両を意味している。
【００４３】
上述した実施例においては、外部スピーカとして、ハンズフリー用のヘッドセット（イヤホン）を例示したが、イヤホン単体であってもよく、また、ヘッドホンなどであってもよい。つまり、外部スピーカは、イヤホン、ヘッドホンのように身体装着型のスピーカであればよく、また、耳に装着する以外にも首などから吊り下げたり、胸元に装着する形式であってもよく、その装着方法は任意である
その他、携帯電話装置に限らず、例えば、ＰＤＡ、電子カメラ、電子腕時計、音楽再生機などの携帯端末装置であっても同様に適用可能である。
【図面の簡単な説明】
【００４４】
【図１】携帯端末装置として適用した携帯電話装置の基本的な構成要素を示したブロック図。
【図２】通話音声以外の音響データの出力開始時に実行開始される携帯電話装置の動作を示したフローチャート。
【図３】携帯電話装置を車載用クレードル３０に取り付けた際に実行開始される携帯電話装置側の動作を示したフローチャート。
【図４】携帯電話装置を車載用クレードル３０から取り外した際に実行開始される携帯電話装置側の動作を示したフローチャート。
【図５】通話着信時における携帯電話装置の動作を示したフローチャート。
【符号の説明】
【００４５】
１  ＣＰＵ
２  記憶部
５  電話通信部
６  音響制御部
７  受話スピーカ
９  表示部
１０  テレビ放送受信部
１１  ラジオ放送受信部
１２  本体ステレオスピーカ
１３  ヘッドセット接続部
１４  クレードル接続部
１５  キー操作部
２１  ハンドセット
２１  イヤホン
３０  車載用クレードル
【図１】
2008022389.tif 000003
【図２】
2008022389.tif 000004
【図３】
2008022389.tif 000005
【図４】
2008022389.tif 000006
【図５】
2008022389.tif 000007